(57)【要約】【課題】レーザ光源やレーザ駆動回路の発熱による性能低下、寿命劣化、誤動作を防き、信頼性の向上を図る。【解決手段】レーザ駆動回路７３は、フレキシブル基板７６に接続され、光ピックアップ筐体７１のレーザ光源固定部近傍に設けた溝または穴７１ａの中に配置される。レーザ駆動回路７３は上下カバー７７１、７７２のうちレーザ駆動回路７３から近い方の上カバー７７１と熱伝導部材７８で接続する。これにより、レーザ駆動回路７３の発熱は、熱伝導部材７８を介して上カバー７７１まで伝わり、上カバー７７１の面内方向へ拡散されながら、光ピックアップ装置７の外部へ放熱される。また、レーザ駆動回路７３を２つのレーザ光源から略等距離でかつレーザ光源に対して内周側に配置する。【選択図】  図４
2005129097.tif 000002
【特許請求の範囲】
【請求項１】
記録媒体であるディスクの情報の記録および／または再生を行うためのレーザ光を発するレーザ光源をピックアップ筐体で支持する光ピックアップ装置において、
前記レーザ光源を前記ピックアップ筐体に対して複数の固定部材によって固定し、
前記複数の固定部材のうち、隣接する固定部材の相対向する２つの面が互いに面的に接触可能な曲面に形成されていることを特徴とする光ピックアップ装置。
【請求項２】
前記曲面の一方が円筒形側面に形成され、他方がこの円筒形側面と面的に接触する凹面状に形成されていることを特徴とする請求項１記載の光ピックアップ装置。
【請求項３】
前記レーザ光源が複数であることを特徴とする請求項１記載の光ピックアップ装置。
【請求項４】
記録媒体であるディスクの情報の記録および／または再生を行うための複数のレーザ光を発するレーザ光源と、
前記レーザ光源を駆動制御するレーザ駆動回路と、
前記レーザ光源および前記レーザ駆動回路を収納するピックアップ筐体と、
前記ピックアップ筐体の上面と下面とにそれぞれ設けられた上下カバーとを備えた光ピックアップ装置において、
前記レーザ駆動回路が前記ピックアップ筐体の内部側であって、すべての前記レーザ光源の発光点位置に対して前記ディスクの内周側になる方向に配置され、
前記上下カバーの一方が前記ピックアップ筐体に所定の空隙を介して取り付けられ、
前記レーザ駆動回路が前記空隙を介して取り付けられたカバーに熱伝導性を確保した状態で固定されていることを特徴とする光ピックアップ装置。
【請求項５】
前記レーザ駆動回路が他方のカバーに対しても熱的に接続されていることを特徴とする請求項４記載の光ピックアップ装置。
【請求項６】
前記レーザ駆動回路が前記空隙を介して取り付けられたカバーは、少なくとも前記レーザ光源に対向する位置は切り欠かれ、前記レーザ光源からの放熱を阻害しない位置に設けられていることを特徴とする請求項４記載の光ピックアップ装置。
【請求項７】
前記空隙を介して前記ピックアップ筐体に取り付けられたカバーの取り付け部が前記レーザ駆動回路と前記複数のレーザ光源とを結ぶ線の少なくとも外側に設けられていることを特徴とする請求項６記載の光ピックアップ装置。
【発明の詳細な説明】
【技術分野】
【０００１】
本発明は、ディスクの情報の記録および／または再生を行うための複数のレーザ光を発するレーザ光源をピックアップ筐体で支持する光ピックアップ装置に係り、特にその冷却機構に関する。
【背景技術】
【０００２】
一般的な光ピックアップ装置は、光ディスク上に光を射出するレーザ光源と、レーザ光源からの光を分岐したり光ディスク上へ集光したりする光学部品と光ディスクからの反射光を受光する光検出器などで構成される。光ピックアップ装置で信号を検出するときには、レーザ光源と光検出器および光学部品の固定位置が重要となる。記録再生動作を正確に行うためには、この固定位置への調整を精密に行う必要がある。
【０００３】
光ディスクには、使用レーザ光源の波長の異なるＣＤとＤＶＤがあり、１つの光ピックアップ装置でこれら両方の光ディスクに対応することが望まれている。そのためには、レーザ光源と光検出器および光学部品の固定位置への調整精度に加えて、各部品の調整方向の自由度も増加させる必要がある。また、光ピックアップ装置には、記録・再生時に発熱する部品として、レーザ光源の他にも、レーザ駆動回路、高周波モジュール、光検出器、対物レンズ駆動装置に用いられる駆動用コイルなどが搭載されている。このように光ピックアップ装置は発熱部品を多く搭載することから、これら発熱部品の発熱により上昇することになる。
【０００４】
特に、ＤＶＤ−ＲＡＭ／Ｒ／ＲＷ，ＣＤ−Ｒ／ＲＷなどのディスクに情報を記録する機能を有する記録型光ピックアップ装置では、光ピックアップ装置に備えたレーザ光源、それを駆動するレーザ駆動回路の発熱は大きくなる。さらに記録速度が高速になるほど、高出力のレーザ光源が必要となり、またレーザ光源とレーザ駆動回路を近接して配置することが要求される。一方、光ピックアップ装置は小型化、薄型化の傾向にある。そのため、発熱による部品の性能低下や寿命劣化、誤動作などを引き起こしやすくなる。
【０００５】
このような発熱による問題に対して、例えば特許文献１では、レーザ光源近傍に配置された発熱性を有するレーザ駆動回路を内蔵した光ピックアップ装置において、光ピックアップ筐体と、前記レーザ駆動回路のフレキシブル基板に向く面とは対向する面とを、密着させて熱的に接続し、前記電子部品で発する熱を前記光ピックアップ筐体に逃がすような構造の光ピックアップ装置が開示されている。この光ピックアップ装置では、レーザ光源の近傍に配置されるレーザ駆動回路と光ピックアップ筐体間の熱抵抗を小さくすることができ、レーザ駆動回路で発生する熱を効果的に光ピックアップ筐体に逃がすことができると主張している。
【０００６】
また、特許文献２では、ハウジングに放熱板を設置し、フレキシブル基板が接続されるレーザドライバの接続面と反対側を放熱板の上に密着させて設置し、放熱板をレーザドライバの下方に設置させ、フレキシブル基板を上方に配置させた状態でレーザドライバを設置した構成が開示されている。
【特許文献１】特開２００２−３０４７５８号公報（第２頁及び第３頁）
【特許文献２】特開２００２−２５２４０８号公報（第２頁）
【発明の開示】
【発明が解決しようとする課題】
【０００７】
しかし、上記従来技術では、共にレーザ光源とレーザ駆動回路の熱を伝えようとする対象は、ともに光ピックアップ筐体である。そのため、両者が近接する場合には、レーザ駆動回路で発生した熱が光ピックアップ筐体を介してレーザ光源に伝わり、レーザ光源の性能や寿命に影響を与えるという可能性があった。
【０００８】
また、光ピックアップ装置が複数の種類の光ディスクに対して記録再生を正確に行うために、レーザ光源、光検出器、光学部品をそれぞれ複数の並進および回転方向に調整して位置決めする必要がある。そのため、各部品は必ずしも光ピックアップ筐体に対して接触して固定されず、数百μｍから数ｍｍの距離おいて接着剤で固定されることになる。特に、レーザ光源が光ピックアップ筐体に対して、小さな接着剤のような熱伝導率が１．０Ｗ／ｍ／Ｋ未満の部材でしか接続されていない場合、レーザ光源は高温となり、レーザ光源の性能や寿命に影響を与えるという可能性があった。
【０００９】
本発明は、このような従来技術の実情に鑑みてなされたもので、その目的は、レーザ光源と光検出器および光学部品の固定位置への調整精度と各部品の調整方向の自由度の高い光ピックアップ装置を提供することにある。
【００１０】
また、他の目的は、レーザ光源やレーザ駆動回路の発熱による性能低下、寿命劣化、誤動作を防き、信頼性の高い光ピックアップ装置を提供することにある。
【課題を解決するための手段】
【００１１】
上記目的を達成するため、本発明では、レーザ光源を保持して光ピックアップ筐体に固定するための第１の固定部材と第２の固定部材を含む光ピックアップ装置であって、第１の固定部材と第２の固定部材の対向する面を略同一半径かつ、互いに凹凸の関係になる曲面に形成している。この場合、レーザ駆動回路の放熱経路が、ピックアップ筐体を介することなく上カバーまたは下カバーに直接形成されるようにする。そのため、レーザ駆動回路をピックアップ筐体を介することなく上カバーおよび下カバーとで挟み込むようにする。また、ディスクへ情報を記録するまたはディスクの情報を再生する動作を行う状態で、レーザ駆動回路を、すべてのレーザ光源の発光点位置に対して、ディスクの内周側になる方向に配置し、レーザ駆動回路を接続した上カバーまたは下カバーの、レーザ光源が配置された部分に、レーザ光源の投影面積以上の切欠き構造を設けるとよい。さらに、レーザ駆動回路を接続した上カバーまたは下カバーと、光ピックアップ筐体との接続位置を、上カバーまたは下カバーの端辺のうちレーザ光源とレーザ駆動回路との間になる部分には設けないようにする。
【００１２】
具体的には、第１の手段は、記録媒体であるディスクの情報の記録および／または再生を行うためのレーザ光を発するレーザ光源をピックアップ筐体で支持する光ピックアップ装置において、前記レーザ光源を前記ピックアップ筐体に対して複数の固定部材によって固定し、前記複数の固定部材のうち、隣接する固定部材の相対向する２つの面が互いに面的に接触可能な曲面に形成されていることを特徴とする。
【００１３】
第２の手段は、第１の手段において、前記曲面の一方が円筒形側面に形成され、他方がこの円筒形側面と面的に接触する凹面状に形成されていることを特徴とする。
【００１４】
第３の手段は、第１の手段において、前記レーザ光源が複数であることを特徴とする。
【００１５】
第４の手段は、記録媒体であるディスクの情報の記録および／または再生を行うための複数のレーザ光を発するレーザ光源と、前記レーザ光源を駆動制御するレーザ駆動回路と、前記レーザ光源および前記レーザ駆動回路を収納するピックアップ筐体と、前記ピックアップ筐体の上面と下面とにそれぞれ設けられた上下カバーとを備えた光ピックアップ装置において、前記レーザ駆動回路が前記ピックアップ筐体の内部側であって、すべての前記レーザ光源の発光点位置に対して前記ディスクの内周側になる方向に配置され、前記上下カバーの一方が前記ピックアップ筐体に所定の空隙を介して取り付けられ、前記レーザ駆動回路が前記空隙を介して取り付けられたカバーに熱伝導性を確保した状態で固定されていることを特徴とする。
【００１６】
第５の手段は、第４の手段において、前記レーザ駆動回路が他方のカバーに対しても熱的に接続されていることを特徴とする。
【００１７】
第６の手段は、第４の手段において、前記レーザ駆動回路が前記空隙を介して取り付けられたカバーは、少なくとも前記レーザ光源に対向する位置は切り欠かれ、前記レーザ光源からの放熱を阻害しない位置に設けられていることを特徴とする。
【００１８】
第７の手段は、第６の手段において、前記空隙を介して前記ピックアップ筐体に取り付けられたカバーの取り付け部が前記レーザ駆動回路と前記複数のレーザ光源とを結ぶ線の少なくとも外側に設けられていることを特徴とする。
【発明の効果】
【００１９】
本発明によれば、隣接する固定部材の相対向する２つの面が互いに面的に接触可能な曲面に形成したので、レーザ光源と光検出器および光学部品の固定位置への調整精度と各部品の調整方向の自由度の高い光ピックアップ装置を提供することにができる。
【００２０】
また、本発明によれば、レーザ光源やレーザ駆動回路の発熱による性能低下、寿命劣化、誤動作を防ぐことができ可能な信頼性の高い光ピックアップ装置を提供することができる。
【発明を実施するための最良の形態】
【００２１】
以下、図面を参照し、本発明を実施するための最良の形態について説明する。
【００２２】
図６は本発明の実施例に係る光ピックアップ装置を使用した光ディスク装置の分解斜視図である。同図において、光ディスク装置１は、装置本体１０と、情報の記録媒体であるディスクを装置内へ搬入または装置外へ搬出するためのディスクトレイ４と、光ディスク装置１内に設けられた電子部品の駆動制御および信号処理を行う半導体部品が搭載された回路基板９を主体として構成されている。装置本体１０の上面と前面には、それぞれトップカバー２及びフロントカバー３が設けられ、装置本体の前記上面及び前面を覆っている。
【００２３】
ディスクトレイ４には、ユニット化された機構部（以下、ユニットメカと称す）６が取付けられ、その下面はボトムカバー８で覆われている。ユニットメカ６には、ディスクを回転させるためのスピンドルモータ５と、ディスク上に情報を記録または再生するための記録または再生用、あるいは再生専用光ピックアップ７と、光ピックアップ７を図示しない案内軸に沿ってディスクの半径方向に移動させるための送りモータなどで構成される光ピックアップ送り機構などが搭載されている。
【００２４】
図７は光ピックアップ７の詳細を示す斜視図である。同図において、光ピックアップ７は、ディスクの情報の記録および再生を行うために、第１の波長の光を発する第１のレーザ光源７２１と、第２の波長の光を発する第２のレーザ光源７２２と、これらレーザ光源７２１、７２２を駆動制御するレーザ駆動回路と、レーザ光源７２１、７２２の出力を監視するためのフロントモニタと、レーザ光をディスクへ導くためのプリズムやミラー、レンズなどの光学部品と、レーザ光を絞ってディスクの情報記録面の所定位置に精度よく焦点を形成するための対物レンズを備えた対物レンズ駆動装置７５と、ディスクからの反射光の変化を電気信号に変換するための光検出器７４と、回路基板９と光ピックアップ７に搭載された電子部品とを接続して信号の入出力を行うためのフレキシブル基板７６と、これらを搭載するための光ピックアップ筐体７１とから構成される。また、光ピックアップ筐体７１の上下面は、フレキシブル基板７６を押さえ、また電子部品に対して電磁波を遮断する目的から、上カバー７７１と下カバー７７２で覆われている。
【００２５】
光ピックアップ７に搭載された部品のうち、記録または再生時に発熱する部品として、対物レンズ駆動装置７５に取付けられた駆動用コイル、レーザ光源７２１、７２２、レーザ駆動回路、フロントモニタ、光検出器７４などがある。この中で、レーザ光源７２１、７２２とレーザ駆動回路７３（図１及び図２参照）とは近接して配置される。なお、図中、符号７９２は第１の固定部材、７９１は第２の固定部材である。
【００２６】
図２はレーザ光源と第１及び第２の固定部材との関係を示す斜視図、図３はレーザ光源を第１及び第２の固定部材を使用して光ピックアップ筐体７１に取り付けたときの状態を示す断面図である。以下、図２と図３を用いてレーザ光源７２１、７２２の取付け構造および放熱経路について説明する。
【００２７】
レーザ光源７２は、まず金属製の第１の固定部材７９２に圧入または面接触させて接着固定される。次に第１の固定部材７９２は、金属製の第２の固定部材７９１に面接触させて固定される。そして第２の固定部材を光ピックアップ筐体７１に面接触させて、接着剤で固定する。第１の固定部材７９２と第２の固定部材７９１の接続面において、第１の固定部材７９２側を半径Ｒの凸状（円筒状）の曲面にし、第２の固定部材７９１側を半径Ｒの凹状曲面にして面的に摺動可能な形状にしたことにより、レーザ素子７２を光軸に対して垂直な軸（図２中の軸Ｂ）まわりの回転調整をさせた場合でも、第１の固定部材７９２と第２の固定部材７９１は、図３のように面接触状態を保つことができる。したがって、レーザ光源７２の発熱は第１の固定部材７９２と第２の固定部材７９１、そして光ピックアップ筐体７１まで効率的に拡散され、光ピックアップ装置７の外部へ放熱されるので、レーザ素子７２の温度を低く抑えることができる。
【００２８】
図４は光ピックアップ装置のレーザ駆動回路取付け部の断面図である。レーザ駆動回路７３は、フレキシブル基板７６に接続され、光ピックアップ筐体７１のレーザ光源７２１，７２２の固定部近傍に設けた溝または穴７１ａの中に配置される。そしてレーザ駆動回路７３は、上下カバー７７１、７７２のうちレーザ駆動回路７３から近い方の上カバー７７１と熱伝導部材７８で接続する。これにより、レーザ駆動回路７３の発熱は、熱伝導部材７８を介して上カバー７７１まで伝わり、上カバー７７１の面内方向へ拡散されながら、光ピックアップ装置７の外部へ放熱される。さらに、上下カバーのうち距離の近い方の上カバー７７１と接続したことにより、レーザ駆動回路７３とカバー間の熱抵抗を小さく抑えられ、レーザ駆動回路７３の温度を低く抑えられる。
【００２９】
また、レーザ駆動回路７３と上カバー７７１の間にフレキシブル基板７６が配されている場合には、フレキシブル基板７６に貫通穴７６ａを設けて、レーザ駆動回路７３と上カバー７７１とがフレキシブル基板７６を介することなく、熱伝導部材７８のみで接続される構造とする。これにより、フレキシブル基板７６を介してレーザ駆動回路７３と上カバー７７１を接続した場合に比べ、接触熱抵抗を小さくできるのでレーザ駆動回路７３の温度を低く抑えられる。熱伝導部材７８は、金属フィラを含む樹脂材やシリコーン樹脂など熱伝導率が１．０Ｗ／ｍ／Ｋ以上のものを使用する。
【００３０】
レーザ光源７２１、７２２とレーザ駆動回路７３との間はフレキシブル基板７６で接続されており、上カバー７７１と光ピックアップ筐体７１の間には、フレキシブル基板７６が存在する。しかし、フレキシブル基板７６の厚さは０．１０ｍｍ以下と非常に薄く、フレキシブル基板７６内の伝熱量は微小である。したがって、レーザ駆動回路７３の発熱は、熱伝導部材７８と上カバー７７１または下カバー７７２を介して外部へ放熱され、光ピックアップ筐体７１を介してレーザ光源７２に熱が伝わることがなくなるので、レーザ光源７２１、７２２の温度を低く抑えることができる。
【００３１】
図１はレーザ筐体７１とスピンドルモータとの関係を示す平面図である。本実施例では、光ピックアップ装置７が光ディスク装置に搭載された状態で、光ピックアップ装置７から見て、スピンドルモータ５が配置される方向は、記録媒体であるディスクに対して内周方向である。逆に光ピックアップ装置７から見て、スピンドルモータ５から遠ざかる方向がディスクの外周方向となる。複数のレーザ光源７２１、７２２の両方を高速な制御を行うためには、レーザ駆動回路７３をレーザ光源７２１、７２２から略等距離かつ近傍に配置する必要がある。本実施例では、レーザ駆動回路７３を２つのレーザ光源７２１、７２２から略等距離でかつレーザ光源７２１、７２２に対して内周側に配置した。これにより、レーザ駆動回路７３を外形寸法制約から殆んど場所を確保できないレーザ光源７２１、７２２の外周側に配置する場合に比べ、レーザ駆動回路７３の放熱部材である上カバー７７１の面積を、レーザ光源７２１、７２２から離れた位置で広く確保できるので、レーザ駆動回路７３の温度を低く抑えられる。
【００３２】
レーザ駆動回路７３が接続された上カバー７７１は、光ピックアップ筐体７１に固定した際、レーザ光源７２１、７２２の外形と重ならないように、レーザ光源７２１、７２２およびその固定部材７９１、７９２の投影面積以上の面積を切欠いてある。言い換えれば、前記レーザ光源７２１、７２２およびその固定部材７９１、７９２の上面側には上カバー７７１を設けない構成としている。この切り欠き部分を図１及び図２において符号Ｃで示す。したがって、レーザ駆動回路７３の発熱で高温となった上カバー７７１によってレーザ光源７２１、７２２の放熱が阻害されることがなくなるので、レーザ光源７２１、７２２温度を低く抑えることができる。
【００３３】
しかし、フレキシブル基板７６は、浮き上がって、ディスクなどに当らないよう、カバー７７１、７７２で押さえつけることが必要である。そこで本実施例では、レーザ駆動回路７３とレーザ光源７２１、７２２の間のフレキシブル基板７６が、レーザ光源７２１、７２２の上側の上カバー７７１の切欠き部分Ｃに配置されないよう、図７のように光ピックアップ筐体７１の下面に配置することとした。すなわち、図７に示すようにフレキシブル基板７６の第２のレーザ光源７２２との接続端はピックアップ筐体７１の下面から上方に折り曲げられて第２のレーザ光源の接続端子部分まで延び、前記端子に接続される。このようにしてレーザ駆動回路７３とレーザ光源７２１、７２２の間のフレキシブル基板７６は、光ピックアップ筐体７１と下カバー７７２で押さえられるので、フレキシブル基板７６が浮き上がることがなくなる。
【００３４】
また、レーザ駆動回路７３が接続された上カバー７７１は、図５に示すように部分的に光ピックアップ筐体７に接続され、取り付けられる。すなわち、本実施例では、レーザ駆動回路７３を接続した上カバー７７１と、光ピックアップ筐体７との接続部Ａの位置を、上カバー７７１の端辺のうちレーザ光源７２１、７２２とレーザ駆動回路７３との間になる部分Ｄには設けないようにした。前記部分Ｄは、図５において第１のレーザ光源７２１の第２のレーザ光源７２２から最も遠い端部と前記レーザ駆動回路７３の同側の端部とを結ぶ線Ｄ１と、第２のレーザ光源７２２の第１のレーザ光源７２１から最も遠い端部と前記レーザ駆動回路７３の同側の端部とを結ぶ線Ｄ２との間の部分であり、図５に示すように接続部Ａが前記線Ｄ１，Ｄ２の外側に位置するようにしている。これにより、レーザ駆動回路７３の発熱が、上カバー７７１から光ピックアップ筐体７１のレーザ光源７２１、７２２の近傍に伝わって、レーザ光源７２１、７２２の放熱を阻害することがなくなるので、レーザ光源７２１、７２２の温度を低く抑えることができる。
【００３５】
なお、本実施例では、図４に示すようにフレキシブル基板７６に穴７６ａを空け、この穴７６ａに熱伝導部材７８が位置するようにしてレーザ駆動回路７３と上カバー７７１を熱的に接続しているが、この他に、図８に示すように構成することもできる。この他の実施例では、レーザ駆動回路７３と上カバー７７１の間にフレキシブル基板７６が介在する場合に、フレキシブル基板７６とレーザ駆動回路７３の両方の対向する面を導体面とする。そしてレーザ駆動回路７３の導体面とフレキシブル基板７６の導体面の間を第１の熱伝導部材７８１で、フレキシブル基板７６と上カバー７７１を第２の熱伝導部材７８２で接続する。第１の熱伝導部材７８１は、金属フィラを含む樹脂材やはんだなどの導通性のあるものである。第２の熱伝導部材は、金属フィラを含む樹脂材やシリコーン樹脂など熱伝導率が１．０Ｗ／ｍ／Ｋ以上のものである。これにより、レーザ駆動回路７３から上カバー７７１までの熱抵抗を小さく抑えながら、第１の熱伝導部材７８１をレーザ駆動回路７３のグランド配線としても利用でるので、レーザ駆動回路７３の電気特性を改善できる。
【００３６】
また、図９に示すように構成することもできる。このさらに他の実施例では、図４においてレーザ駆動回路７３と接続されていなかった下カバー７７２についても、第３の熱伝導部材７８３を介してレーザ駆動回路７３と接続したものである。第３の熱伝導部材７８３は、金属フィラを含む樹脂材やシリコーン樹脂などである。これにより、レーザ駆動回路７３からの放熱経路を増やすことができるので、さらにレーザ駆動回路７３の温度を低く抑えることができる。
【００３７】
以上のように本実施例によれば、レーザ光源を光ピックアップ筐体に金属部材で接続し、レーザ駆動回路を光ピックアップ筐体を介することなく上カバーまたは下カバーに接続することにより、レーザ光源とレーザ駆動回路との熱的干渉が起こってお互いの放熱を阻害しあうことがない。したがって、レーザ光源とレーザ駆動回路の両方の温度を低く抑えられ、発熱部品の性能低下や寿命劣化、誤動作を防ぐことができるので、信頼性の向上が図れ、高品位な光ピックアップ装置を提供することができる。
【図面の簡単な説明】
【００３８】
【図１】本発明の一実施例に係るレーザ駆動回路とレーザ光源との配置関係を示す光ピックアップ装置の平面図である。
【図２】本発明の一実施例に係るレーザ光源とその固定部材の分解斜視図である。
【図３】本発明の一実施例に係る光ピックアップ装置のレーザ光源取付け部の断面図である。
【図４】本発明の一実施例に係る光ピックアップ装置のレーザ駆動回路取付け部の断面図である。
【図５】本発明の一実施例に係る上カバー固定部とレーザ駆動回路、レーザ光源との位置関係を示す光ピックアップ装置の平面図である。
【図６】本発明の光ピックアップ装置を適用した光ディスク装置の分解斜視図である。
【図７】本発明の一実施例に係る光ピックアップ装置の斜視図である。
【図８】本発明の他の実施例に係る光ピックアップ装置のレーザ駆動回路取付け部の断面図である。
【図９】本発明のさらに他の実施例に係る光ピックアップ装置のレーザ駆動回路取付け部の断面図である。
【符号の説明】
【００３９】
１  光ディスク装置
５  スピンドルモータ
７  光ピックアップ
７１  光ピックアップ筐体
７２  レーザ光源
７２１  第１のレーザ光源
７２２  第２のレーザ光源
７３  レーザ駆動回路
７４  光検出器
７５  対物レンズ駆動装置
７６  フレキシブル基板
７７１  上カバー
７７２  下カバー
７８  熱伝導部材
７８１  第１の熱伝導部材
７８２  第２の熱伝導部材
７８３  第３の熱伝導部材
７９１  第２の固定部材
７９２  第１の固定部材
１０  装置本体
Ａ  接続部
Ｄ  第１及び第２のレーザ光源とレーザ駆動回路との間になる部分
【図１】
2005129097.tif 000003
【図２】
2005129097.tif 000004
【図３】
2005129097.tif 000005
【図４】
2005129097.tif 000006
【図５】
2005129097.tif 000007
【図６】
2005129097.tif 000008
【図７】
2005129097.tif 000009
【図８】
2005129097.tif 000010
【図９】
2005129097.tif 000011